(57)【要約】【課題】  本体を経年劣化しにくい材質で形成して本体の耐久性を向上させるとともに、納骨部のスペースをできるだけ小さくして本体をコンパクトに形成し、安定性の向上を図る。【解決手段】  卓上に載置可能に形成される本体１と、本体１の後側部２にヒンジ６０を介して開閉可能に連結される蓋体４０とを備え、本体１及び蓋体４０の少なくともいずれか一方に遺骨が収納される納骨部１０を有し、本体１を上面３及び下面４を有した硬質の板材で構成し、蓋体４０を表面４１及び裏面４２を有し閉時に裏面４２が本体１の上面３に接合する硬質の板材で構成し、納骨部１０を、本体１及び蓋体４０の少なくともいずれか一方であって板材の側面に形成される入口を有し入口から本体１内部に向けて掘削形成された収納穴１２と、収納穴１２の入口を閉塞する着脱可能な栓体１３とを備えて構成した。【選択図】図１
2011194047.tif 000002
【特許請求の範囲】
【請求項１】
卓上に載置可能に形成される本体と、該本体の後側部にヒンジを介して開閉可能に連結される蓋体とを備え、上記本体及び蓋体の少なくともいずれか一方に遺骨が収納される納骨部を有した卓上墓において、
上記本体を、上面及び下面を有した硬質の板材で構成し、
上記蓋体を、表面及び裏面を有し閉時に上記裏面が上記本体の上面に接合する硬質の板材で構成し、
上記納骨部を、上記本体及び蓋体の少なくともいずれか一方であって上記板材の側面に形成される入口を有し該入口から上記本体内部に向けて掘削形成された収納穴と、該収納穴の入口を閉塞する着脱可能な栓体とを備えて構成したことを特徴とする卓上墓。
【請求項２】
上記本体及び蓋体を構成する硬質の板材として、石，人造石，金属，硬質樹脂の少なくともいずれかから選択されることを特徴とする請求項１記載の卓上墓。
【請求項３】
上記収納穴を、上記遺骨が収容された細長のケースを出し入れ可能に収納できるように細長に形成したことを特徴とする請求項１または２記載の卓上墓。
【請求項４】
上記栓体に雄ネジを形成し、上記収納穴の入口に上記雄ネジに螺合する雌ネジを形成したことを特徴とする請求項１乃至３何れかに記載の卓上墓。
【請求項５】
上記ヒンジを、上記本体及び蓋体を任意の回動位置で停止させることのできるフリーストップヒンジで構成したことを特徴とする請求項１乃至４何れかに記載の卓上墓。
【請求項６】
上記ヒンジは、上記本体または蓋体のいずれか一方に固定される一方ベースと、上記本体または蓋体のいずれか他方に固定される他方ベースと、上記一方ベース及び他方ベース間に架設され該一方ベース及び他方ベースを相対的に回動させる回動軸と、該一方ベース及び他方ベースの少なくともいずれか一方と上記回動軸との間に設けられ互いに摩擦的に係合する摩擦部材とを備えて構成されることを特徴とする請求項５記載の卓上墓。
【請求項７】
上記本体の上面及び蓋体の裏面の少なくともいずれかに故人に関連する関連情報を表示したことを特徴とする請求項１乃至６何れかに記載の卓上墓。
【請求項８】
上記関連情報を文字により表示したことを特徴とする請求項７記載の卓上墓。
【請求項９】
上記関連情報としての文字を刻印したことを特徴とする請求項８記載の卓上墓。
【請求項１０】
上記関連情報を表出したレリーフ体を備え、
上記本体の上面及び蓋体の裏面の少なくともいずれかに凹部を設け、該凹部に上記レリーフ体を嵌合して付設したことを特徴とする請求項７乃至９何れかに記載の卓上墓。
【請求項１１】
上記本体の上面に凹所を設け、該凹所に上記蓋体の開時にローソクを立てることが可能な金属製のローソク立てを嵌合して付設したことを特徴とする請求項１乃至１０何れかに記載の卓上墓。
【請求項１２】
上記本体の上面に凹所を設け、該凹所に上記蓋体の開時に線香を燃やすことが可能な金属製の線香立てを嵌合して付設したことを特徴とする請求項１乃至１１何れかに記載の卓上墓。
【請求項１３】
上記本体の下面及び蓋体の表面の少なくともいずれかに模様を刻印したことを特徴とする請求項１乃至１２何れかに記載の卓上墓。
【発明の詳細な説明】
【技術分野】
【０００１】
本発明は、卓上に載置可能に形成され遺骨が収納される納骨部を有した卓上墓に係り、特に、卓上に載置可能に形成された本体と、本体の後側部にヒンジを介して開閉可能に連結される蓋体とを備えた卓上墓に関する。
【背景技術】
【０００２】
従来、この種の卓上墓としては、例えば、特許文献１（実用新案登録第３０８３５５０号公報）に記載されたものが知られている。
図８に示すように、この卓上墓Ｇａは、卓上に載置可能に形成される木製で箱型の本体１００と、本体１００の後側部１０１にヒンジ１０２を介して開閉可能に連結される箱型の蓋体１１０とを備え、本体１００に遺骨が収納される納骨部１０３を有して構成されている。
【０００３】
本体１００は、上面が開放されて内部が仕切りによって少なくとも２室に区画されており、一つの部屋１００ａが遺骨を収容した骨壷１０４が収納される納骨部１０３として形成され、もう一つの部屋１００ｂが墓碑１０５や香炉，花立て等が収納される墓部１０６として形成されている。
蓋体１１０は、閉時に本体１００の上面に接合する裏面１１１を有し、この裏面１１１が開時に左右に開閉可能な扉で構成されている。また、この蓋体１１０の内部には、掛軸等が張設されている。
この卓上墓Ｇａは、常時は蓋体１１０が閉にさせられており、この蓋体１１０が閉状態のときの大きさは、奥行幅が３００ｍｍ、横幅が２００ｍｍ、高さが２４０ｍｍに形成されている。
【０００４】
この卓上墓Ｇａで墓参りをするときは、蓋体１１０を閉にした状態で本体１００を卓上に載置し、その後、蓋体１１０を水平状態から９０度起立させて開にし、それから、扉を左右に開いて墓碑１０５や掛軸等を現わす。これにより、本体１００には遺骨が収納されているので墓としての機能を持ち、そのため、卓上に墓を載置することができるので、家庭に居ながら墓参りをすることができる。
【先行技術文献】
【特許文献】
【０００５】
【特許文献１】実用新案登録第３０８３５５０号公報
【発明の概要】
【発明が解決しようとする課題】
【０００６】
しかしながら、この従来の卓上墓Ｇａにおいては、本体１００が木製なので経年劣化しやすく、そのため、耐久性が悪いという問題があった。また、本体１００が箱型に形成されるとともに本体１００の内部に形成される納骨部１０３のスペースが比較的大きいので、本体１００自体が大きく形成されるようになり、そのため、卓上に載置した際の載置スペースが大きくなってしまい、また、安定性も悪いという問題もあった。
【０００７】
本発明は、このような問題点に鑑みてなされたもので、本体を経年劣化しにくい材質で形成して本体の耐久性を向上させるとともに、納骨部のスペースをできるだけ小さくして本体をコンパクトに形成し、安定性の向上を図った卓上墓を提供することを目的とする。
【課題を解決するための手段】
【０００８】
このような目的を達成するため、本発明の卓上墓は、卓上に載置可能に形成される本体と、該本体の後側部にヒンジを介して開閉可能に連結される蓋体とを備え、上記本体及び蓋体の少なくともいずれか一方に遺骨が収納される納骨部を有した卓上墓において、上記本体を、上面及び下面を有した硬質の板材で構成し、上記蓋体を、表面及び裏面を有し閉時に上記裏面が上記本体の上面に接合する硬質の板材で構成し、上記納骨部を、上記本体及び蓋体の少なくともいずれか一方であって上記板材の側面に形成される入口を有し該入口から上記本体内部に向けて掘削形成された収納穴と、該収納穴の入口を閉塞する着脱可能な栓体とを備えた構成としている。
【０００９】
これにより、この卓上墓を使用するときは、予め故人の遺骨を収納穴に収納し、栓体で収納穴の入口を閉塞しておく。栓体で入口を閉塞するので、例えば、卓上墓を持ち運んだり傾けたりしても収納穴から遺骨が出ることがなく、確実に遺骨を収納しておくことができる。
そして、この卓上墓で墓参りをするときは、本体を卓上に載置した状態で、蓋体を起立させて開にする。本体及び蓋体の少なくともいずれか一方には遺骨が収納されているので墓としての機能を持ち、そのため、卓上に墓を載置することができるので、家庭に居ながら墓参りをすることができる。
【００１０】
この場合、本体及び蓋体を硬質の板材で構成しているので、本体及び蓋体が経年劣化しにくく、そのため、本体及び蓋体の耐久性を向上させることができる。また、本体及び蓋体は板状に形成されており、納骨部が側面から本体内部に向けて掘削形成された穴で構成されているので、本体及び蓋体を比較的薄く形成することができるとともに納骨部のスペースを小さく形成することができ、そのため、本体及び蓋体をコンパクトに形成することができるとともに、安定性を向上させることができる。
【００１１】
そして、必要に応じ、上記本体及び蓋体を構成する硬質の板材として、石，人造石，金属，硬質樹脂の少なくともいずれかから選択される構成としている。
ここで、石とは、例えば、花崗岩，大理石，石英，蛇紋岩等をいう。また、人造石とは、例えば、花崗岩，大理石，石英，蛇紋岩等に樹脂やセメント等を混合して成形したものや、合成樹脂例えばビニルエステル樹脂，アクリル樹脂，ポリエステル樹脂などの熱硬化性樹脂又は熱可塑性樹脂の合成樹脂を主体とし、これに顔料を混合して成形した所謂人造大理石等をいう。
これにより、石，人造石，金属，硬質樹脂は経年劣化しにくい材質であるので、より一層本体及び蓋体の耐久性を向上させることができる。
【００１２】
また、必要に応じ、上記収納穴を、上記遺骨が収容された細長のケースを出し入れ可能に収納できるように細長に形成した構成としている。
これにより、より一層収納穴を小さく形成することができるので納骨部のスペースを小さくすることができ、そのため、より一層本体及び蓋体をコンパクトに形成することができる。また、遺骨をケースに収容するので、より一層確実に遺骨を納骨部に収納することができる。更に、ケースと収納穴との間の隙間を小さくすることができるので、それだけ、ガタつきを少なくすることができる。
【００１３】
更に、必要に応じ、上記栓体に雄ネジを形成し、上記収納穴の入口に上記雄ネジに螺合する雌ネジを形成した構成としている。
これにより、栓体を収納穴の入口に捻じ込むだけで良いので、入口の閉塞が容易に行なえる。また、栓体を取り外す際も容易に取り外すことができる。
【００１４】
更にまた、必要に応じ、上記ヒンジを、上記本体及び蓋体を任意の回動位置で停止させることのできるフリーストップヒンジで構成している。
これにより、例えば、載置する卓上の高さや墓参りする人の身長等によって目線の高さが違うが、この場合、蓋体を任意の回動位置で停止させることができるので、確実に蓋体の裏面を墓参りする人の目線に合わせることができ、そのため、楽な姿勢で墓参りすることができる。また、従来の卓上墓の蓋体は一般のヒンジを用いているのでガタつきがあるが、本発明のフリーストップヒンジではガタつきがなく、安定性が向上させられる。
【００１５】
そして、また、必要に応じ、上記ヒンジは、上記本体または蓋体のいずれか一方に固定される一方ベースと、上記本体または蓋体のいずれか他方に固定される他方ベースと、上記一方ベース及び他方ベース間に架設され該一方ベース及び他方ベースを相対的に回動させる回動軸と、該一方ベース及び他方ベースの少なくともいずれか一方と上記回動軸との間に設けられ互いに摩擦的に係合する摩擦部材とを備えて構成されている。
これにより、蓋体を開閉すると、摩擦部材によって一方ベース及び他方ベースを任意の回動位置で摩擦的に停止させることができる。そのため、フリーストップヒンジを比較的簡易な構成とすることができる。
【００１６】
また、必要に応じ、上記本体の上面及び蓋体の裏面の少なくともいずれかに故人に関連する関連情報を表示した構成としている。
これにより、例えば、故人の名前や没年月日、写真、似顔絵等を表示することができるので、墓参りする際に故人の関連情報を見ることで感情を込めて礼拝することができるようになり、それだけ、故人に対して畏敬の念を抱きながら墓参りすることができるようになる。
【００１７】
更に、必要に応じ、上記関連情報を文字により表示した構成としている。
これにより、故人の関連情報が一目で分かるので、より一層墓参りする際に感情を込めて礼拝することができるようになり、より一層故人に対して畏敬の念を抱きながら墓参りすることができるようになる。
【００１８】
更にまた、必要に応じ、上記関連情報としての文字を刻印した構成としている。
これにより、文字を刻印するので、文字を書いたものと比較して文字が消えにくく、そのため、長期間使用することができる。
【００１９】
また、必要に応じ、上記関連情報を表出したレリーフ体を備え、上記本体の上面及び蓋体の裏面の少なくともいずれかに凹部を設け、該凹部に上記レリーフ体を嵌合して付設した構成としている。
これにより、関連情報として、例えば、故人の顔を表出させた場合には、より一層墓参りする際に感情を込めて礼拝することができるようになり、より一層故人に対して畏敬の念を抱きながら墓参りすることができるようになる。また、故人の顔を表出させると、故人のことを知らない人でも感情を込めて礼拝できるようになる。更に、レリーフ体の表面に表出された模様は、写真や肖像画とは違う趣があり、趣向を凝らして描くことができる。更にまた、レリーフ体を凹部に嵌合して付設したので、レリーフ体が安易に取れたり落ちたりしなくなるので、長期間使用することができる。また、レリーフ体を凹部に嵌合して付設することにより、レリーフ体が本体の上面及び蓋体の裏面から突出しなくなり、そのため、蓋体の閉時に確実に本体の上面と蓋体の裏面とが接合するようになる。
【００２０】
更に、必要に応じ、上記本体の上面に凹所を設け、該凹所に上記蓋体の開時にローソクを立てることが可能な金属製のローソク立てを嵌合して付設した構成としている。
これにより、ローソクを立てるときは、例えば、ローソクに火を灯し、このローソクから溶けた溶解ローソクをローソク立てに向けて垂らし、この垂らした溶解ローソクにローソクを立てる。この場合、溶解ローソクや立てたローソクから溶けてくる新たな溶解ローソクはローソク立てに受けられ、ローソク立ては金属製なので、高温の溶解ローソクであっても耐熱性があり、そのため、本体の耐久性を向上させることができる。また、ローソク立てが劣化してきたときは、ローソク立てを凹所から取り外して新しいローソク立てに取り替えることができるので、本体を交換する必要がなく、それだけ、メンテナンスが容易になる。
【００２１】
更にまた、必要に応じ、上記本体の上面に凹所を設け、該凹所に上記蓋体の開時に線香を燃やすことが可能な金属製の線香立てを嵌合して付設した構成としている。
これにより、線香を立てるときは、例えば、線香立てに線香の一端側が差し込まれる差し込み孔が複数形成されたものや粉粒状のもの等の線香を立てる際に使用する線香立て部材を載置し、この線香立て部材を用いて線香を一端側から立てる。また、線香を横にして置いても良い。この場合、線香の他端側（火のついている側）は、次第に燃えて灰となり、この灰が落下して線香立てに受けられる。そのため、線香の灰が散らかったりしないので、卓上墓を綺麗に使用することができるとともに、使用後の手入れも容易になる。また、線香には火がついているが、線香立ては金属製なので、耐熱性があり、そのため、本体の耐久性を向上させることができる。また、線香立てが劣化してきたときは、線香立てを凹所から取り外して新しい線香立てに取り替えることができるので、本体を交換する必要がなく、それだけ、メンテナンスが容易になる。
【００２２】
また、必要に応じ、上記本体の下面及び蓋体の表面の少なくともいずれかに模様を刻印した構成としている。
これにより、常時は蓋体を閉にしておくので、外観からは本体の下面及び蓋体の表面が見えるようになり、本体の下面及び蓋体の表面の少なくともいずれかに模様を刻印することによって外観品質を向上させることができる。
【発明の効果】
【００２３】
本発明の卓上墓によれば、予め故人の遺骨を収納穴に収納し、本体を卓上に載置して蓋体を開にすることにより、本体及び蓋体の少なくともいずれか一方には遺骨が収納されているので墓としての機能を持つことから、卓上に墓を載置することができるので、家庭に居ながら墓参りをすることができる。この場合、本体及び蓋体を硬質の板材で構成しているので、本体及び蓋体が経年劣化しにくく、そのため、本体及び蓋体の耐久性を向上させることができる。また、本体及び蓋体は板状に形成されており、納骨部が側面から本体内部に向けて掘削形成された穴で構成されているので、本体及び蓋体を比較的薄く形成することができるとともに納骨部のスペースを小さく形成することができ、そのため、本体及び蓋体をコンパクトに形成することができるとともに安定性を向上させることができる。
【図面の簡単な説明】
【００２４】
【図１】本発明の実施の形態に係る卓上墓を示す斜視図である。
【図２】図１中、Ａ−Ａ線視断面図である。
【図３】図１中、Ｂ−Ｂ線視断面図である。
【図４】図１中、Ｃ−Ｃ線視断面図である。
【図５】本発明の実施の形態に係る卓上墓を、蓋体を閉にした状態で示す斜視図である。
【図６】本発明の実施の形態に係るヒンジを示す斜視図である。
【図７】本発明の実施の形態に係る卓上墓を、その使用状態で示す斜視図である。
【図８】従来の卓上墓の一例を示す図である。
【発明を実施するための形態】
【００２５】
以下、添付図面に基づいて本発明の実施の形態に係る卓上墓を説明する。
図１乃至図７には、本発明の実施の形態に係る卓上墓Ｇを示している。本卓上墓Ｇは、卓上に載置可能に形成される本体１と、本体１の後側部２にヒンジ６０を介して開閉可能に連結される蓋体４０とを備えて構成されている。
【００２６】
本体１は、石，人造石，金属，硬質樹脂の少なくともいずれかから選択される硬質の材質で構成され、上面３及び上面３に平行な下面４を有した所定厚さの板状に形成されている。本実施の形態では、前側端５と後側端６との間の長さが１５０ｍｍ、右側端７と左側端８との間の長さが２４０ｍｍ、厚さが１３ｍｍ程度の略楕円形状に形成された人造石からなる石板で構成されている。
【００２７】
この本体１には、遺骨が収納される納骨部１０が設けられている。この納骨部１０は、本体１の後側端６の側面６ａに形成される入口１１を有し入口１１から本体１の前側端５側に向かって本体１内部に向けて水平方向に掘削形成された収納穴１２と、収納穴１２の入口１１を閉塞する着脱可能な栓体１３とを備えて構成されている。
【００２８】
収納穴１２は、遺骨が収容された細長のケース１４を出し入れ可能に収納できるように細長に形成されている。詳しくは、この収納穴１２は、その入口１１が直径８ｍｍ程度の円形状に形成され、入口１１から本体１の前側端５に向かう掘削長さが８０ｍｍ程度の円柱状に形成されており、入口１１から本体１の前側端５に向かって２０ｍｍ程度の長さに雌ネジ１２ａが形成されている。
また、ケース１４は、収納穴１２の大きさに対応し収納穴１２に出し入れ可能な大きさの直径を有した長さ６０ｍｍ程度の円筒状に形成されている。このケース１４は、一端１５ａに開口を有し遺骨を収容する例えばプラスチック製の筒体１５と、筒体１５の開口を閉塞する栓１６とを備えて構成されている。
栓体１３は、収納穴１２に対応した大きさの直径を有した長さ２０ｍｍ程度の円柱状に形成され、外周面には収納穴１２に形成された雌ネジ１２ａに螺合する雄ネジ１３ａが形成されている。
【００２９】
また、この本体１の下面４には模様が刻印されている。この模様は、例えばレーザで刻印される。レーザで刻印した場合、彫刻に比較して容易に刻印することができる。
更に、本体１の上面３には、適宜の位置（実施の形態では、本体１の略中央の位置）に、例えば星型の模様９が刻印されている。尚、刻印に限定されるものではなく、例えば、本体１の上面３に凹部を設け、この凹部に例えば星型の金属板を嵌合させても良く、また、形状は星型に限定されるものではなく、どのような形状でも良く、適宜変更して差支えない。
【００３０】
更に、本体１の上面３には、適宜の位置（実施の形態では、前側端５側であって右側端７側の位置）に、例えば直径３０ｍｍ程度の円形状で深さ３ｍｍ程度の第一凹所２１が形成されており、この第一凹所２１に蓋体４０の開時にローソク２２を立てることが可能な金属製で円板状のローソク立て２０が嵌合されて付設されている。
更にまた、本体１の上面３には、適宜の位置（実施の形態では、前側端５側であって左側端８側の位置）に、例えば直径３０ｍｍ程度の円形状で深さ３ｍｍ程度の第二凹所３１が形成されており、この第二凹所３１に蓋体４０の開時に線香３２を立てることが可能な金属製で断面凹状の線香立て３０が嵌合されて付設されている。
【００３１】
蓋体４０は、石，人造石，金属，合成樹脂の少なくともいずれかから選択される硬質の材質で構成され、表面４１及び表面４１に平行な裏面４２を有し閉時に裏面４２が本体１の上面３に接合する所定厚さの板状に形成されている。本実施の形態では、本体１と同様に、前側端４３と後側端４４との間の長さが１５０ｍｍ、右側端４５と左側端４６との間の長さが２４０ｍｍ、厚さが１３ｍｍ程度の略楕円形状に形成された人造石からなる石板で構成されている。
【００３２】
この蓋体４０の表面４１には模様が刻印されている。この模様は、例えばレーザで刻印される。レーザで刻印した場合、彫刻に比較して容易に刻印することができる。
また、蓋体４０の裏面４２には故人に関連する関連情報５０が表示されている。この関連情報５０は、例えば、故人の名前や没年月日等が文字５１で表示されており、この文字５１がレーザで刻印されている。レーザで刻印するので、彫刻する場合に比較して容易に刻印することができる。また、刻印するので、文字５１を書いたものと比較して文字５１が消えにくく、そのため、長期間使用することができる。
【００３３】
また、関連情報５０として、表面に例えば故人の顔等の模様が表出された金属製のレリーフ体５２が付設されて表示されている。このレリーフ体５２は、蓋体４０の裏面４２に設けられた例えば直径３０ｍｍ程度の円形状で深さ５ｍｍ程度の凹部４７に嵌合されて付設されている。このレリーフ体５２の表面に表出された模様は、写真や肖像画とは違う趣があり、趣向を凝らして描くことができる。また、レリーフ体５２を凹部４７に嵌合して付設したので、レリーフ体５２が安易に取れたり落ちたりしなくなるので、長期間使用することができる。更に、レリーフ体５２を凹部４７に嵌合して付設することにより、レリーフ体５２が本体１の上面３及び蓋体４０の裏面４２から突出しなくなり、そのため、蓋体４０の閉時に確実に本体１の上面３と蓋体４０の裏面４２とが接合するようになる。
【００３４】
この蓋体４０は、その後側部４４が本体１の後側部２にヒンジ６０を介して開閉可能に連結されている。このヒンジ６０は、本体１及び蓋体４０を任意の回動位置で停止させることのできるフリーストップヒンジ６０ａで構成されている。
【００３５】
詳しくは、このフリーストップヒンジ６０ａは、本体１に固定される一対の一方ベース６１と、Ｌ字状に形成され蓋体４０に固定される他方ベース６２と、一方ベース６１及び他方ベース６２間に架設され一方ベース６１及び他方ベース６２を相対的に回動させる回動軸６３と、一方ベース６１及び他方ベース６２の少なくともいずれか一方と回動軸６３との間に設けられ互いに摩擦的に係合する摩擦部材６４とを備えて構成されている。この摩擦部材６４はリング状で板状に形成されており、一方ベース６１と回動軸６３との間に設けられて蓋体４０の開閉時に一方ベース６１及び他方ベース６２を任意の回動位置で摩擦的に停止させるようになっている。摩擦部材６４によって一方ベース６１及び他方ベース６２を任意の回動位置で摩擦的に停止させるので、フリーストップヒンジ６０ａを比較的簡易な構成とすることができる。
【００３６】
従って、この実施の形態に係る卓上墓Ｇで墓参りをするときは、以下のようにする。
先ず、予め故人の遺骨をケース１４に収容してケース１４を収納穴１２に収納し、栓体１３の雄ネジ１３ａを収納穴１２の入口１１の雌ネジ１２ａに捻じ込んで収納穴１２の入口１１を栓体１３で閉塞しておく。栓体１３で入口１１を閉塞するので、例えば、卓上墓Ｇを持ち運んだり傾けたりしても収納穴１２から遺骨が出ることがなく、確実に遺骨を収納しておくことができる。また、遺骨をケース１４に収容するので、より一層確実に遺骨を納骨部１０に収納することができる。更に、栓体１３を収納穴１２の入口１１に捻じ込むだけで良いので、入口１１の閉塞が容易に行なえるとともに、栓体１３を取り外す際も容易に取り外すことができる。更にまた、ケース１４と収納穴１２との間の隙間を小さくすることができるので、それだけ、ガタつきを少なくすることができる。
【００３７】
そして、この卓上墓Ｇで墓参りをするときは、本体１を卓上に載置した状態で、蓋体４０を起立させて開にする。このとき、ヒンジ６０はフリーストップヒンジ６０ａなので、蓋体４０を任意の回動位置で停止させることができるとともに、一般のヒンジと比較してガタつきがなく、そのため、安定性を向上させることができる。例えば、載置する卓上の高さや墓参りする人の身長等によって目線の高さが違うが、この場合、蓋体４０を任意の回動位置で停止させることにより、蓋体４０の裏面４２を墓参りする人の目線に合わせることができる。
【００３８】
この状態で墓参りをする。この場合、本体１には遺骨が収納されているので墓としての機能を持ち、そのため、卓上に墓を載置することができるので、家庭に居ながら墓参りをすることができる。
【００３９】
また、本体１及び蓋体４０を、石，人造石，金属，合成樹脂の少なくともいずれかから選択される硬質の材質（実施の形態では人造石）で構成しているので、本体１及び蓋体４０が経年劣化しにくく、そのため、本体１及び蓋体４０の耐久性を向上させることができる。
更に、本体１及び蓋体４０は板状に形成されており、納骨部１０が側面６ａから本体１内部に向けて掘削形成された穴で構成されているので、本体１及び蓋体４０を比較的薄く形成することができるとともに納骨部１０のスペースを小さく形成することができ、そのため、本体１及び蓋体４０をコンパクトに形成することができるとともに、安定性を向上させることができる。特に、本実施の形態では、収納穴１２を細長に形成したので、より一層収納穴１２を小さく形成することができ、それだけ、納骨部１０のスペースを小さくすることができるので、より一層本体１及び蓋体４０をコンパクトに形成することができる。本実施の形態では、本体１及び蓋体４０の厚さを１３ｍｍ程度に形成しており、蓋体４０を閉にした状態であっても本卓上墓Ｇの厚さが２６ｍｍ程度となることから、本体１及び蓋体４０がコンパクトに形成されているといえる。
【００４０】
また、蓋体４０を開にすると、蓋体４０の裏面４２が露出し、この蓋体４０の裏面４２には、故人の名前や没年月日等の文字５１が刻印されているとともに故人の顔が表出されたレリーフ体５２が付設されているので、墓参りする際に故人の関連情報５０を見ることで感情を込めて礼拝することができるようになり、それだけ、故人に対して畏敬の念を抱きながら墓参りすることができるようになる。この場合、蓋体４０の裏面４２を墓参りする人の目線に合わせているので、楽な姿勢で墓参りすることができる。また、文字５１なので、故人の関連情報５０が一目で分かるようになり、そのため、より一層墓参りする際に感情を込めて礼拝することができるようになり、より一層故人に対して畏敬の念を抱きながら墓参りすることができるようになる。更に、故人の顔を表出させるので、より一層墓参りする際に感情を込めて礼拝することができるようになり、より一層故人に対して畏敬の念を抱きながら墓参りすることができるようになる。更にまた、故人の顔を表出させると、故人のことを知らない人でも感情を込めて礼拝できるようになる。
【００４１】
本卓上墓Ｇには、ローソク立て２０と線香立て３０が設けられているので、図７に示すように、ローソク２２及び線香３２を立てて墓参りをすることも可能である。この場合、より一層感情を込めて礼拝することができるようになり、それだけ、故人に対して畏敬の念を抱きながら墓参りすることができるようになる。
【００４２】
ローソク２２を立てるときは、例えば、ローソク２２に火を灯し、このローソク２２から溶けた溶解ローソク２３をローソク立て２０に向けて垂らし、この垂らした溶解ローソク２３にローソク２２を立てる。この場合、溶解ローソク２３や立てたローソク２２から溶けてくる新たな溶解ローソク２３はローソク立て２０に受けられ、ローソク立て２０は金属性なので、高温の溶解ローソク２３であっても耐熱性があり、そのため、本体１の耐久性を向上させることができる。また、ローソク立て２０が劣化してきたときは、ローソク立て２０を第一凹所２１から取り外して新しいローソク立て２０に取り替えることができるので、本体１を交換する必要がなく、それだけ、メンテナンスが容易になる。
【００４３】
また、線香３２を立てるときは、例えば、線香立て３０の凹み部に、線香３２の一端側が差し込まれる差し込み孔が複数形成されたものや粉粒状のもの等の線香３２を立てる際に使用する線香立て部材を入れ、この線香立て部材を用いて線香３２を一端側から立てる。実施の形態では、他端側から一端側に向けて漸次拡径する円錐状の小さい線香３２を用いて、線香立て３０の凹み部に線香３２を置いている。この場合、線香３２の他端側（火のついている側）は、次第に燃えて灰となり、この灰が落下して線香立て３０に受けられる。このとき、線香立て３０は断面凹状なので、灰を凹み部内に溜めておくことができ、そのため、線香３２の灰が散らかったりしないので、卓上墓Ｇを綺麗に使用することができるとともに、使用後の手入れも容易になる。また、線香３２には火がついているが、線香立て３０は金属製なので、耐熱性があり、そのため、本体１の耐久性を向上させることができる。また、線香立て３０が劣化してきたときは、線香立て３０を第二凹所３１から取り外して新しい線香立て３０に取り替えることができるので、本体１を交換する必要がなく、それだけメンテナンスが容易になる。
【００４４】
墓参りが終わったら蓋体４０を閉にする。このように、常時は蓋体４０を閉にしておくが、この際、外観からは本体１の下面４及び蓋体４０の表面４１が見えるようになり、本体１の下面４及び蓋体４０の表面４１には模様が刻印されているので外観品質を向上させることができる。また、蓋体４０を閉にした状態にしてコンパクトにすることができるので、カバン等に収納でき、収納性が向上させられるとともに、持ち運びも極めて容易になる。
【００４５】
尚、上記実施の形態において、関連情報５０を文字５１の刻印及びレリーフ体５２の付設により表示したが、必ずしもこれに限定されるものではなく、文字５１の刻印のみでも良く、また、レリーフ体５２の付設のみでも良く、適宜変更して差支えない。
また、上記実施の形態において、本体１の下面４及び蓋体４０の表面４１に模様を刻印したが、必ずしもこれに限定されるものではなく、本体１の上面３，蓋体４０の裏面４２，本体１及び蓋体４０の側面６ａ等、どこに模様を刻印しても良く、適宜変更して差支えない。
【符号の説明】
【００４６】
Ｇ  卓上墓
１  本体
２  後側部
３  上面
４  下面
５  前側端
６  後側端
７  右側端
８  左側端
９  模様
１０  納骨部
１１  入口
１２  収納穴
１２ａ  雌ネジ
１３  栓体
１３ａ  雄ネジ
１４  ケース
１５  筒体
１５ａ  一端
１６  栓
２０  ローソク立て
２１  第一凹所
２２  ローソク
２３  溶解ローソク
３０  線香立て
３１  第二凹所
３２  線香
４０  蓋体
４１  表面
４２  裏面
４３  前側端
４４  後側端
４５  右側端
４６  左側端
４７  凹部
５０  関連情報
５１  文字
５２  レリーフ体
６０  ヒンジ
６０ａ  フリーストップヒンジ
６１  一方ベース
６２  他方ベース
６３  回動軸
６４  摩擦部材
【図１】
2011194047.tif 000003
【図２】
2011194047.tif 000004
【図３】
2011194047.tif 000005
【図４】
2011194047.tif 000006
【図５】
2011194047.tif 000007
【図６】
2011194047.tif 000008
【図７】
2011194047.tif 000009
【図８】
2011194047.tif 000010